【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
ホストコンピュータと共に使用する英数字キーボードであって、
複数の英数字キーと、
少なくとも１系統のデジタルオーディオ入力を含むオーディオ入力を受信するオーディオプロセッサであり、少なくとも１系統のアナログオーディオ出力を提供する前記オーディオプロセッサを含むサウンド再生システムと、
前記複数の英数字キーの少なくとも１つの使用を感知し、キーボードスキャンコードを前記ホストコンピュータに渡すキーボードコントローラと、
当該英数字キーボードを前記ホストコンピュータに接続するデジタルデータコネクタであり、前記キーボードスキャンコードを前記ホストコンピュータに提供すると共に、前記ホストコンピュータから少なくとも１系統のデジタルオーディオ入力を受信する、前記デジタルデータコネクタと
を備える、英数字キーボード。
【請求項２】
前記少なくとも１系統の入力を前記オーディオプロセッサに送信する前に、前記少なくとも１系統の入力を受信して処理するデータプロセッサを更に備えている、請求項１に記載の英数字キーボード。
【請求項３】
前記オーディオ入力が複数のデジタルオーディオ入力を含んでいる、請求項１に記載の英数字キーボード。
【請求項４】
前記オーディオプロセッサがデジタル増幅器を備えている、請求項１に記載の英数字キーボード。
【請求項５】
前記オーディオプロセッサがデジタル−アナログコンバータを備えている、請求項１に記載の英数字キーボード。
【請求項６】
アナログオーディオをデジタルオーディオに変換するアナログ−デジタルコンバータを更に備えている、請求項４に記載の英数字キーボード。
【請求項７】
前記少なくとも１系統のアナログオーディオ出力が、内蔵スピーカー、ラインアウトコネクタ及びヘッドフォンコネクタから成る群から選択される少なくとも１つに提供される、請求項３に記載の英数字キーボード。
【請求項８】
前記デジタルデータコネクタが、ＵＳＢ及びＩＥＥＥ  １３９４から成る群から選択される、請求項１に記載の英数字キーボード。
【請求項９】
前記デジタル増幅器の電力が、前記デジタルデータコネクタを通じて供給される、請求項４に記載の英数字キーボード。
【請求項１０】
複数のデジタルオーディオ入力を提供するためのマルチチャンネルデジタルオーディオ入出力接続部を更に備えている、請求項１に記載の英数字キーボード。
【請求項１１】
デジタルオーディオに変換されるべきデジタルデータであって、複数のデジタルオーディオ入力を提供する前記デジタルデータを提供するためのＭＩＤＩ入出力接続部を更に備えている、請求項１に記載の英数字キーボード。
【請求項１２】
当該英数字キーボードに一体化された音楽キーボードを含んでおり、
該音楽キーボードが、前記ＭＩＤＩ入出力接続部に接続される出力部を有する、請求項１１に記載の英数字キーボード。
【請求項１３】
前記データプロセッサが、前記サウンド再生システムの少なくとも１つの機能を制御するようになっており、
前記データプロセッサが、前記オーディオプロセッサ、マルチチャンネルデジタルオーディオ入出力接続部、ＭＩＤＩ入出力接続部、複数のＭＩＤＩ  ＵＡＲＴ及び前記ホストコンピュータから成る群から選択される少なくとも１つに提供される、少なくとも１系統の出力を生成するようになっている、請求項２に記載の英数字キーボード。
【請求項１４】
前記キーボードコントローラが、前記データプロセッサの少なくとも１つの機能を制御するためにユーザによる前記複数の英数字キーのうちの所定のキーの使用を可能とするようになっている、請求項２に記載の英数字キーボード。
【請求項１５】
前記所定のキーが、前記英数字キーボードのすべてのキーである、請求項１４に記載の英数字キーボード。
【請求項１６】
前記キーボードコントローラが、前記データプロセッサの少なくとも１つの機能を制御するためにユーザによる前記複数の英数字キーのうちの所定のキーの使用を可能とするようになっており、
前記所定のキーが、前記キーボードコントローラから前記データプロセッサに再マッピングされる、請求項２に記載の英数字キーボード。
【請求項１７】
ホストコンピュータと共に使用する英数字キーボードであって、
（ａ）複数の英数字キーと、
（ｂ）少なくとも１系統のデジタルオーディオ入力を含む複数のオーディオ入力を受信するオーディオプロセッサであり、少なくとも１系統のアナログオーディオ出力を提供する前記オーディオプロセッサを含むサウンド再生システムと、
（ｃ）前記複数の英数字キーのうちの１つ以上が使用されたことを感知し、キーボードスキャンコードを前記ホストコンピュータに渡すキーボードコントローラと、
（ｄ）当該英数字キーボードを前記ホストコンピュータに接続するデジタルデータコネクタであり、前記ホストコンピュータから前記少なくとも１系統のデジタルオーディオ入力を提供する前記デジタルデータコネクタと、
（ｅ）前記複数のオーディオ入力のうちの少なくとも１系統を提供するマルチチャンネルデジタルオーディオ接続部と、
（ｆ）前記複数のオーディオ入力のうちの少なくとも１系統に変換されるデジタルデータを提供するＭＩＤＩ入出力接続部と、
を備える、英数字キーボード、
【請求項１８】
前記デジタルデータコネクタが、ＵＳＢ及びＩＥＥＥ  １３９４から成る群から選択される、請求項１７に記載の英数字キーボード。
【請求項１９】
前記複数のオーディオ入力を前記オーディオプロセッサに送信する前に、前記複数のオーディオ入力を受信して処理するデータプロセッサを更に備えている、請求項１７に記載の英数字キーボード。
【請求項２０】
前記キーボードコントローラが、前記データプロセッサの少なくとも１つの機能を制御するためにユーザによる前記複数の英数字キーのうちの所定のキーの使用を可能とするようになっている、請求項１９に記載の英数字キーボード。
【請求項２１】
前記少なくとも１つの機能の前記制御が、ボリュームアップ、ボリュームダウン、ミュートのオン、ミュートのオフ、空間化及び特殊効果などのオーディオエフェクト、アップミックス、ダウンミックス並びにトーンコントロールの機能から成る群から選択される、請求項１４に記載の英数字キーボード。
【請求項２２】
前記複数のオーディオ入力が複数のデジタルオーディオ入力を含んでいる、請求項１７に記載の英数字キーボード。
【請求項２３】
前記オーディオプロセッサがデジタル増幅器を備えている、請求項１７に記載の英数字キーボード。
【請求項２４】
前記オーディオプロセッサがデジタル−アナログコンバータを備えている、請求項１７に記載の英数字キーボード。
【請求項２５】
アナログオーディオをデジタルオーディオに変換するアナログ−デジタルコンバータを更に備えている、請求項２４に記載の英数字キーボード。
【請求項２６】
前記動作機能の前記制御が、ボリュームアップ、ボリュームダウン、ミュートのオン、ミュートのオフ、空間化及び特殊効果などのオーディオエフェクト、アップミックス、ダウンミックス並びにトーンコントロールの機能から成る群から選択される、請求項２０に記載の英数字キーボード。
【請求項２７】
前記少なくとも１系統のアナログオーディオ出力が、内蔵スピーカー、ラインアウトコネクタ及びヘッドフォンコネクタから成る群から選択される少なくとも１つに提供される、請求項１７に記載の英数字キーボード。
【請求項２８】
前記ホストコンピュータのデジタルデータポートと接続するための前記デジタルデータコネクタを含むケーブルにより、前記ホストコンピュータに接続可能となっている、請求項２２に記載の英数字キーボード。
【請求項２９】
前記キーボードコントローラが、前記データプロセッサの少なくとも１つの機能を制御するためにユーザによる前記複数の英数字キーのうちの所定のキーの使用を可能とするようになっており、
前記所定のキーが、前記キーボードコントローラから前記データプロセッサに再マッピングされる、請求項１９に記載の英数字キーボード。
【請求項３０】
前記デジタル増幅器の電力が、前記デジタルデータコネクタを通じて取得可能となっている、請求項２３に記載の英数字キーボード。
【請求項３１】
前記サウンド再生システムがスピーカードライバを含んでおり、前記スピーカードライバの電力が、前記デジタルデータコネクタを通じて取得可能となっている、請求項２３に記載の英数字キーボード。
【請求項３２】
ホストコンピュータと共に使用する英数字キーボードであって、
複数の英数字キーと、サウンド再生システムとを含んでおり、
前記サウンド再生システムが、
（ａ）前記サウンド再生システムの機能を制御するデータプロセッサと、
（ｂ）少なくとも１系統のデジタルオーディオ入力を受信し、少なくとも１系統のアナログオーディオ出力を提供するオーディオプロセッサと、
を備えており、
前記サウンド再生システムが、当該英数字キーボードを前記ホストコンピュータに接続するケーブルと接続可能であるポートを含んでおり、前記ケーブルが、当該英数字キーボードからスキャンコードを送信するための前記ホストコンピュータのデジタルデータポートと接続するためのデジタルデータコネクタを有しており、前記デジタルデータコネクタが前記ホストコンピュータから当該英数字キーボードに少なくとも１系統のデジタルオーディオ入力を提供するようになっている、英数字キーボード。
【請求項３３】
前記少なくとも１系統のデジタルオーディオ入力が前記オーディオプロセッサに直接入力される、請求項３２に記載の英数字キーボード。
【請求項３４】
前記データプロセッサが少なくとも１系統のアナログオーディオ入力を受信するためのものであり、前記少なくとも１系統のアナログオーディオ入力が当該英数字キーボードに内蔵されている少なくとも１つのマイクロフォンを含んでいる、請求項３２に記載の英数字キーボード。